(57)【要約】      （修正有）【課題】マウスの操作を行わなくとも画面に表示されている画像の表示状態の切り替えを行うことができる眼科装置を提供する。【解決手段】測定画像を取得する測定画像取得部８と、この測定画像により眼光学特性を解析する解析処理部９と、この解析処理部９により得られた処理データに画像化処理を施して処理画像を構築する処理画像構築部１０と、縮小画像表示状態と拡大画像表示状態との間で表示状態が切り替えられると共に、測定画像表示状態と処理画像表示状態との間で表示状態が切り替えられる表示部１３と、表示部１３の画面上に重ねて設けられかつ接触の有無を検知して接触位置に対応する座標データを出力するタッチパネル１４と、この座標データに基づき、縮小画像表示状態と拡大画像表示状態との間での表示の切り替えか測定画像表示状態と処理画像表示状態との間での表示の切り替えかを判定して実行する画像表示状態切り替え部１１とを有している。【選択図】図６
2010187904.tif 000002
【特許請求の範囲】
【請求項１】
被検眼に測定光を照射して該被検眼からの反射光に基づき測定画像を取得する測定画像取得部と、前記測定画像により眼光学特性を解析する解析処理部と、該解析処理部により得られた処理データに画像化処理を施して処理画像を構築する処理画像構築部と、
前記測定画像と前記処理画像とを含めて複数個の縮小画像が同時に画面上に表示される縮小画像表示状態と該縮小画像表示状態で表示されている各縮小画像のうちの選択された１個の縮小画像が拡大画像として表示される拡大画像表示状態との間で表示状態が切り替えられると共に、前記縮小画像表示状態において前記測定画像が前記画面に前記縮小画像として表示されている表示状態と前記拡大画像表示状態において前記測定画像が前記画面に前記拡大画像として表示されている表示状態とを測定画像表示状態と定義しかつ前記縮小画像表示状態において前記測定画像に処理が施された処理画像が前記画面に前記縮小画像として表示されている表示状態と前記拡大画像表示状態において前記測定画像に処理が施された処理画像が前記画面に前記拡大画像として表示されている表示状態とを処理画像表示状態と定義して前記測定画像表示状態と前記処理画像表示状態との間で表示状態が切り替えられる表示部と、
前記表示部の画面上に重ねて設けられかつ接触の有無を検知して接触位置に対応する座標データを出力するタッチパネルと、
前記接触位置から接触解除位置までの座標データが入力されかつ該座標データに基づき前記画面上での接触方向と選択された画像とを判定して前記縮小画像表示状態と前記拡大画像表示状態との間での表示切り替えを行うか前記測定画像表示状態と前記処理画像表示状態との間での表示状態の切り替えを行うかの判定を行って前記選択された画像について表示切り替えを実行する画像表示状態切り替え部とを有していることを特徴とする眼科装置。
【請求項２】
前記画像表示状態切り替え部が、前記接触方向が前記縦方向と前記横方向とのいずれか一方のときに前記縮小画像表示状態と前記拡大画像表示状態との間での表示切り替えを実行し、前記接触方向が前記縦方向と前記横方向とのいずれか他方のときに前記測定画像表示状態と前記処理画像表示状態との間での表示状態の切り替えを実行することを特徴とする請求項１に記載の眼科装置。
【請求項３】
前記画像表示状態切り替え部は、前記画面に前記被検眼の瞳孔に相当する瞳孔相当像が表示されているときに、前記瞳孔相当像内における座標データに基づき接触方向を判断することを特徴とする請求項２に記載の眼科装置。
【請求項４】
前記測定画像がリング状パターンが形成された被検眼像と、波面収差の解析処理に用いる点像列画像とであることを特徴とする請求項３に記載の眼科装置。
【請求項５】
前記処理画像は、前記被検眼像に処理が施された被検眼処理画像と、前記点像列画像に処理が施された点像列処理画像とであることを特徴とする請求項４に記載の眼科装置。
【請求項６】
前記表示部の画面上に、観察中に、前記被検眼の動画像と測定を実行するための解析ボタンとが表示され、該解析ボタンの操作により測定が実行され、前記表示部に前記被検眼像と前記点像列画像と共に、前記各処理画像とは異なる各処理画像が同時に縮小画像表示状態で表示されることを特徴とする請求項５に記載の眼科装置。
【請求項７】
前記被検眼像に前記被検眼に対する作動距離を合わせるための輝点像と前記被検眼に対する装置本体のアライメントを行う輝点像とが瞳孔像の中心を通るようにして一列に配列され、前記横方向の接触方向がこれらの輝点像の配列方向に対応され、前記縦方向の接触方向が前記瞳孔相当像の中心を通りかつ前記配列方向と直交する方向に対応されていることを特徴とする請求項３ないし請求項６のいずれか１項に記載の眼科装置。
【請求項８】
前記横方向の接触方向が前記点像列画像の瞳孔相当像の中心を通る横方向の点像列に対応し、前記縦方向の接触方向が前記点像列画像の瞳孔相当像の中心を通る縦方向の点像列に対応していることを特徴とする請求項３ないし請求項７のいずれか１項に記載の眼科装置。
【発明の詳細な説明】
【技術分野】
【０００１】
本発明は、医療機器の分野に関し、とりわけ、タッチパネル式の眼科装置に関する。
【背景技術】
【０００２】
従来から、眼科装置には、撮影により得られた被検眼画像を画面上に表示すると共に、この得られた被検眼画像のデータに基づいて眼光学特性を解析する構成のものが知られている（例えば、特許文献１参照。）。眼科装置には、また、画面上に表示されている被検眼画像にマウスポインタを重ね、右のマウスボタンをクリックした状態でマウスを移動させ、ついで、左のマウスボタンをクリックすることにより、つまり、いわゆるマウスのドラッグ操作により、マウスポインタで指定された被検眼画像を表示したい所望の画像（拡大画像、縮小画像、解析画像等）に切り替えて表示する構成のものも知られている。
【先行技術文献】
【特許文献】
【０００３】
【特許文献１】特開２００７−２６０３３６号公報
【発明の概要】
【発明が解決しようとする課題】
【０００４】
ところで、従来の眼科装置は、マウスのドラッグ操作により画面に表示されている画像を指定して表示したい所望の画像に切り替えて画面に表示したり、元の画像に戻して表示したりする構成であるので、マウスを操作しなければならず、このマウスの操作が煩わしいという不便さがある。
【０００５】
本発明は、上記の事情に鑑みて為されたもので、その目的は、マウスの操作を行わなくとも画面に表示されている画像の表示状態の切り替えを行うことができる眼科装置を提供することにある。
【課題を解決するための手段】
【０００６】
請求項１に記載の眼科装置は、この目的を達成するため、被検眼に測定光を照射して該被検眼からの反射光に基づき測定画像を取得する測定画像取得部と、前記測定画像により眼光学特性を解析する解析処理部と、該解析処理部により得られた処理データに画像化処理を施して処理画像を構築する処理画像構築部と、
前記測定画像と前記処理画像とを含めて複数個の縮小画像が同時に画面上に表示される縮小画像表示状態と該縮小画像表示状態で表示されている各縮小画像のうちの選択された１個の縮小画像が拡大画像として表示される拡大画像表示状態との間で表示状態が切り替えられると共に、前記縮小画像表示状態において前記測定画像が前記画面に前記縮小画像として表示されている表示状態と前記拡大画像表示状態において前記測定画像が前記画面に前記拡大画像として表示されている表示状態とを測定画像表示状態と定義しかつ前記縮小画像表示状態において前記測定画像に処理が施された処理画像が前記画面に前記縮小画像として表示されている表示状態と前記拡大画像表示状態において前記測定画像に処理が施された処理画像が前記拡大画像として前記画面に表示されている表示状態とを処理画像表示状態と定義して前記測定画像表示状態と前記処理画像表示状態との間で表示状態が切り替えられる表示部と、
前記表示部の画面上に重ねて設けられかつ接触の有無を検知して接触位置に対応する座標データを出力するタッチパネルと、
前記接触位置から接触解除位置までの座標データが入力されかつ該座標データに基づき前記画面上での接触方向と選択された画像とを判定して前記縮小画像表示状態と前記拡大画像表示状態との間での表示切り替えを行うか前記測定画像表示状態と前記処理画像表示状態との間での表示状態の切り替えを行うかの判定を行って前記選択された画像について表示切り替えを実行する画像表示状態切り替え部とを有していることを特徴とする。
【０００７】
請求項２に記載の眼科装置は、前記画像表示状態切り替え部が、前記接触方向が前記縦方向と前記横方向とのいずれか一方のときに前記縮小画像表示状態と前記拡大画像表示状態との間での表示切り替えを実行し、前記接触方向が前記縦方向と前記横方向とのいずれか他方のときに前記測定画像表示状態と前記処理画像表示状態との間での表示状態の切り替えを実行することを特徴とする。
【０００８】
請求項３に記載の眼科装置は、前記画像表示状態切り替え部は、前記画面に前記被検眼の瞳孔に相当する瞳孔相当像が表示されているときに、前記瞳孔相当像内における座標データに基づき接触方向を判断することを特徴とする。
【０００９】
請求項４に記載の眼科装置は、前記測定画像がリング状パターンが形成された被検眼像と、波面収差の解析処理に用いる点像列画像とであることを特徴とする。
【００１０】
請求項５に記載の眼科装置は、前記処理画像は、前記被検眼像に処理が施された被検眼処理画像と、前記点像列画像に処理が施された点像列処理画像とであることを特徴とする。
【００１１】
請求項６に記載の眼科装置は、前記表示部の画面上に、観察中に、前記被検眼の動画像と測定を実行するための解析ボタンとが表示され、該解析ボタンの操作により測定が実行され、前記表示部に前記被検眼像と前記点像列画像と共に、前記各処理画像とは異なる各処理画像が同時に縮小画像表示状態で表示されることを特徴とする。
【００１２】
請求項７に記載の眼科装置は、前記被検眼像に前記被検眼に対する作動距離を合わせるための輝点像と前記被検眼に対する装置本体のアライメントを行う輝点像とが瞳孔相当像の中心を通るようにして一列に配列され、前記横方向の接触方向がこれらの輝点像の配列方向に対応され、前記縦方向の接触方向が前記瞳孔相当像の中心を通りかつ前記配列方向と直交する方向に対応されていることを特徴とする。
【００１３】
請求項８に記載の眼科装置は、前記横方向の接触方向が前記点像列画像の瞳孔相当像の中心を通る横方向の点像列に対応し、前記縦方向の接触方向が前記点像列画像の瞳孔画像の中心を通る縦方向の点像列に対応していることを特徴とする。
【発明の効果】
【００１４】
本発明によれば、表示部の画面上でタッチパネルに接触することにより画面上の画像表示状態を切り替えることができ、マウスの操作を必要としないので、便利であるという効果を奏する。
【図面の簡単な説明】
【００１５】
【図１】図１は本発明に係わる眼科装置の正面図である。
【図２】図２は図１に示す眼科装置を右側から見た側面図である。
【図３】図３は本発明に係わる眼科装置の背面図である。
【図４】図４は図１に示す眼科装置を左側から見た側面図である。
【図５】図５は図１に示す眼科装置の外観図である。
【図６】図６は本発明に係わる統括制御部のブロック図である。
【図７】図７は図１に示す眼科装置の表示部への画像表示状態を示す図であって、測定画像と処理画像とが縮小画像として表示されている状態を示す図である。
【図８】図８は図６に示すタッチパネルの一例を示す模式図である。
【図９】図９は図７に示す測定画像としての被検眼像が表示部に拡大画像として表示されている状態を示す図である。
【図１０】図１０は図７に示す測定画像としての被検眼像に処理が施された処理画像が表示部に拡大画像として表示されている状態を示す図である。
【図１１】図１１は図に示す測定画像としての点像列画像が表示部に拡大画像として表示されている状態を示す図である。
【図１２】図１２は図７に示す測定画像としての点像列画像に処理が施された処理画像が表示部に拡大画像として表示されている状態を示す図である。
【図１３】図７に示す眼科装置の表示部に観察画像としての被検眼像が表示されている状態を示す図である。
【図１４】図１４は本発明に係わる画像表示状態切り替え部の作用を説明するためのフローチャートである。
【図１５】図１５は図１に示す眼科装置の表示部への画像表示状態を示す図であって、処理画像のみが縮小画像として表示されている状態を示す図である。
【発明を実施するための形態】
【実施例】
【００１６】
図１ないし図５は本発明に係わる眼科装置としての波面収差測定装置１の全体図である。この波面収差測定値１は架台２、測定装置本体３、顔受け装置４を有する。測定装置本体３の前部にはリング状パターン像を投影するためのプラチドリング発光部５が設けられている。測定装置本体３の後部にはコントロールレバー６が設けられている。測定装置本体３の内部には測定光学系（図示を略す）、各種駆動機構（図示を略す）が設けられていると共に、各種測定を統括すると共に測定結果を表示したり解析したりするための統括制御部７（図６参照）が設けられている。コントロールレバー６を操作すると、統括制御部７の制御により被検眼Ｅに対する測定光学系のアライメント、作動距離（被検眼Ｅに対する測定装置本体３の光軸方向距離）が調整される。この波面収差測定装置１は、眼屈折力、角膜形状、波面収差の測定が可能である。これらの構成は公知であるので、以下、異なる部分について説明する。
【００１７】
この波面収差測定装置１は、測定画像ＳＰとして被検眼Ｅに複数個の輪帯からなるリングパターンが投影された被検眼像ＳＰ１と波面収差の解析に用いる点像列画像ＳＰ２とを取得可能である（図７参照）。
【００１８】
その統括制御部７は、図６に示すように、測定画像取得部８と、解析処理部９と、処理画像構築部１０と、画像表示状態切り替え部１１と、記憶部１２とを有する。これらの機能は後述する。
【００１９】
測定装置本体３の後部には表示部１３が設けられている。この表示部１３には、その画面１３ａに重ねてタッチパネル１４が設けられている。このタッチパネル１４は接触の有無を検知して接触位置に対応する座標データを出力する。このタッチパネル１４には、公知のものが使用され、例えば、図８に示すように、透明ベース板１４ａと、互いに対向する透明Ｘ座標抵抗膜１４ｂと透明Ｙ座標抵抗膜１４ｃと透明保護膜１４ｄとから概略構成されている。このタッチパネル１４は、指又はペン等で押したときの抵抗膜同士の接触による電圧の変化を検出して接触位置に対応する座標データを画像表示状態切り替え部１１に向けて出力する。
【００２０】
測定画像取得部８は、図６に示すように、被検眼Ｅに測定光Ｐ１を照射して被検眼Ｅからの反射光Ｐ２を受光することにより測定画像を取得する。この測定画像は記憶部１２に記憶保存される。解析処理部９は測定画像取得部８により取得された測定画像に基づき眼光学特性を解析する。解析処理部９はその解析結果を記憶部１２に向けて出力し、記憶部１２にはその解析結果が処理データとして保存される。処理画像構築部１０は解析処理部９により得られた処理データに画像化処理を施して眼光学特性を解析するための処理画像を構築する。この処理画像データは画像表示状態切り替え部１１に向かって出力される。この画像表示切り替え部１１の機能の詳細については後述する。
【００２１】
表示部１３には、例えば、液晶表示装置が用いられる。表示部１３は測定画像と処理画像とを含めて複数個の縮小画像が同時に画面１３ａ上に表示される縮小画像表示状態（図７参照）とこの縮小画像表示状態で表示されている各縮小画像のうち選択された１個の縮小画像が拡大画像として表示される拡大画像表示状態（図９、図１１参照）との間で表示状態が切り替え可能とされている。
【００２２】
また、この表示部１３は、その縮小画像表示状態において測定画像が画面１３ａに縮小画像として表示されている表示状態（図７参照）と拡大画像表示状態において測定画像が画面１３ａに拡大画像として表示されている表示状態（図９、図１１参照）とを測定画像表示状態と定義しかつ縮小画像表示状態において測定画像に処理が施された処理画像が画面１３ａに縮小画像として表示されている表示状態（後述する）と拡大画像表示状態において測定画像に処理が施された処理画像が画面１３ａに拡大画像として表示されている表示状態（図１０、図１２参照）とを処理画像表示状態と定義して測定画像表示状態と処理画像表示状態との間で表示状態が切り替え可能とされている。
【００２３】
画像表示状態切り替え部１１は、接触位置から接触解除位置までの座標データが逐次入力されかつ座標データに基づき画面１３ａ上での接触方向と選択された画像とを判定して縮小画像表示状態（図７参照）と拡大画像表示状態（図９〜図１２参照）との間での表示切り替えを行うか、測定画像表示状態（図７参照）と処理画像表示状態（図１０、図１２参照）との間での表示状態の切り替えを行うかの判定を行う。
【００２４】
測定画像取得部８は、観察中、観察画像を表示部１３に向かって出力する。表示部１３の画面１３ａには、図１３に示すように、被検眼Ｅの観察中に、被検眼Ｅの動画像ＭＰと測定を実行するための解析ボタン１５とその他の機能を実行させるための各種の操作ボタン１６とが表示されている。
【００２５】
この図１３に示す観察画面において、例えば、解析ボタン１５を押圧操作すると、測定画像取得部８は被検眼Ｅの測定を実行する。その動画像ＭＰには、その被検眼Ｅに対する作動距離を合わせるための輝点像Ｐ１’、Ｐ１’と被検眼Ｅに対する測定装置本体３の上下左右方向のアライメントを行う輝点像Ｐ２’とが映っている。また、その動画像ＭＰには、ここでは、被検眼Ｅの瞳孔に相当する瞳孔相当像Ｅｐにリング状パターン像Ｒ１が映っている。
【００２６】
統括制御部７は、解析ボタン１５が指又はペン等で押圧されると、測定画像取得部８に基づき測定を実行する。ここでは、測定画像取得部８は、測定が実行されると、図７に示すように測定画像ＳＰとしてリング状パターン像Ｒ１が投影された被検眼像ＳＰ１と、測定画像ＳＰとして波面収差の解析処理に用いる点像列画像ＳＰ２とを静止画として取得する。これらの測定画像ＳＰは記憶部１２に保存される。
【００２７】
解析処理部９は図７に示す被検眼像ＳＰ１に基づく解析処理を行って図１０に示すようにリング状パターン像Ｒ１に処理が施された処理画像ＳＰ３を得るための処理データを作成すると共に、図７に示す点像列画像ＳＰ２に基づく解析処理を行って図１２に示すように四角形枠処理が施された処理画像ＳＰ４を得るための処理データを作成する。これらの処理画像ＳＰ３、ＳＰ４も記憶部１２に保存される。
【００２８】
解析処理部９は、また、被検眼像ＳＰ１に基づき角膜Ｃの等高線相当画像ＳＰ５、ＳＰ６（図７参照）を得るための処理データを作成すると共に、点像列画像ＳＰ２に基づき眼底Ｅｒの収差相当画像（図７参照）ＳＰ７、ＳＰ８を得るための処理データを求める。これらの処理画像ＳＰ５〜ＳＰ８は、処理画像ＳＰ１〜ＳＰ４とは異なる処理画像である。これらの処理画像ＳＰ５〜ＳＰ８を得るための処理データも記憶部１２に保存される。処理画像構築部１０はその解析処理部９の解析処理データに基づいて各画像データを構築する。
【００２９】
画像表示状態切り替え部１１は、測定画像取得部８からの測定実行信号に基づいて、表示部１３を観察画面を表示している表示状態（図１３参照）から縮小画像表示状態（図７参照）に表示状態を切り替える。なお、その図７〜図１２に示す表示部１３の画面１３ａには、縮小画像と共に解析ボタン１５とその他の操作ボタン１６とが表示される。
【００３０】
画像表示状態切り替え部１１は、タッチパネル１４に対する接触方向が縦方向と横方向とのいずれか一方のときには縮小画像状態と拡大画像状態との間での表示切り替えを実行し、接触方向が縦方向と横方向とのいずれか他方のときには測定画像表示状態と処理画像表示状態との間での表示状態の切り替えを実行する。ここでは、画像状態切り替え部１１は、瞳孔相当像Ｅｐ内における接触点とその接触点の移動方向とを判断する構成とされている。
【００３１】
次に、本発明に係わる眼科装置の作用を図１４に示すフローチャートを参照しつつ説明する。
【００３２】
まず、表示部１３の画面１３ａには、図７に示すように、被検眼像ＳＰ１、点像列画像ＳＰ２、等高線相当画像ＳＰ５、ＳＰ６、収差相当画像ＳＰ７、ＳＰ８が初期画面として縮小画像表示状態で表示されているものとする。
【００３３】
画像表示状態切り替え部１１は、図１４に示すように、タッチパネル１４への指又はペン等の接触の有無を監視している（Ｓ１）。タッチパネル１４への指又はペン等の接触がない場合には、ノーと判断してＳ１のループを繰り返し、表示部１３の画面１３ａには、図７に示す縮小画像がそのままの状態で表示される。タッチパネル１４に指又はペン等が接触されると、その接触点Ｐｔ１の座標データＸ１、Ｙ１が記憶部１２に一時的に記憶保存される（Ｓ２）。ついで、画像表示状態切り替え部１１は、座標データＸ１、Ｙ１が瞳孔相当像Ｅｐ内の座標データであるか否かを判断する（Ｓ３）。画像表示状態切り替え部１１は、座標データＸ１、Ｙ１が瞳孔相当像Ｅｐ内の座標データでない場合には、ノーと判断して、Ｓ１に戻って、Ｓ１〜Ｓ３を繰り返す。
【００３４】
画像表示状態切り替え部１１は、座標データＸ１、Ｙ１が瞳孔相当像Ｅｐ内の座標データである場合には、Ｓ３においてイエスと判断して、接触解除の有無を判断する（Ｓ．４）。画像表示状態切り替え部１１は、タッチパネル１４への指又はペンの接触が解除されていないときには、ノーと判断してＳ．４を繰り返す。画像表示状態切り替え部１１は、タッチパネル１４への指又はペンの接触が解除されたときには、イエスと判断して、選択された画像についてその接触解除点Ｐｔ２の座標データＸ２、Ｙ２を記憶部１２に一時的に記憶保存させる（Ｓ５）。
【００３５】
画像表示状態切り替え部１１は、ついで、座標データＸ２と座標データＸ１との差分データＸ２−Ｘ１の絶対値ΔＸを求めると共に、座標データＹ２と座標データＹ１との差分データＹ２−Ｙ１の絶対値ΔＹを求める（Ｓ．６）。また、差分データの正負により操作の方向を判定する。
【００３６】
ついで、画像表示状態切り替え部１１は、ΔＸが所定値δｘ１以上でかつΔＹが所定値δｙ２以下であるか否かを判断する（Ｓ７）。画像表示状態切り替え部１１は、ΔＸが所定値δｘ１以上でかつΔＹが所定値δｙ２以下である場合には接触方向が横方向であると判断して、選択された画像について測定画像表示状態と処理画像表示状態との間での表示状態の切り替えを行う（Ｓ．８）。画像表示切り替え部１１は、ΔＸが所定値δｘ１以上でかつΔＹが所定値δｙ２以下でない場合には、ΔＸが所定値δｘ２以下でかつΔＹが所定値δｙ１以上であるか否かを判断する（Ｓ．９）。画像表示切り替え部１１は、ΔＸが所定値δｘ２以下でかつΔＹが所定値δｙ１以上である場合には、接触方向が縦方向であるとして、選択された画像について縮小画像表示状態と拡大画像表示状態との間での表示状態の切り替えを行う（Ｓ．１０）。画像表示状態切り替え部１１は、ΔＸが所定値δｘ２以下でかつΔＹが所定値δｙ１以上でない場合には、Ｓ１に戻る。
【００３７】
次に、図７、図９ないし図１３、図１５に示す図面を参照しつつ画面の切り替えについて説明する。
【００３８】
例えば、図７に示す縮小画像表示状態（測定画像表示状態）で、指又はペンが被検眼像ＳＰ１の瞳孔像Ｅｐ内の点Ｐｔ１に対応する部分のタッチパネル１４に接触されたとする。そして、指又はペンをタッチパネル１４に接触させた状態で縦方向（矢印Ｑ１）に移動させると、図７に示す測定画像ＳＰ１が図９に示すように画面１３ａに拡大表示された拡大画像表示状態（測定画像表示状態）となる。
【００３９】
この図９に示す測定画像ＳＰ１が画面１３ａに表示されている拡大画像表示状態で瞳孔像Ｅｐ内の点Ｐｔ１に対応する部分のタッチパネル１４に指又はペンを接触させ、指又はペンをタッチパネル１４に接触させた状態で、縦方向（矢印Ｑ１と逆方向）に指又はペンを移動させると、画面１３ａは図７に示す縮小画像表示状態に戻る。
【００４０】
また、例えば、図９に示す拡大画像表示状態（測定画像表示状態でもある）で、指又はペンをタッチパネル１４の点Ｐｔ１’に接触させた状態で横方向（矢印Ｑ２）に指又はペンを移動させると、画面１３ａは測定画像表示状態（拡大画像表示状態）から処理画像表示状態（拡大画像表示状態）へ切り替えられ、例えば、画面１３ａには、図１０に示すように、リング状パターン像に処理が施された処理画像ＳＰ３が拡大表示される。この図１０に示す処理画像表示状態で横方向（矢印Ｑ２と逆方向）に指又はペンを移動させると、画面１３ａは図１０に示す処理画像表示状態から図９に示す測定画像表示状態に戻る。また、その図１０に示す処理画像表示状態で縦方向（矢印Ｑ１と逆方向）に指又はペンを移動させると、画面１３ａは、図１５に示すように、このリング状パターン像Ｒ１に処理が施された処理画像ＳＰ３と共に残余の画像ＳＰ５〜Ｓ８、ＳＰ２又はＳＰ４が表示された縮小画像表示状態に移行する。
【００４１】
また、例えば、図７に示す縮小画像表示状態で、指又はペンが点像列画像ＳＰ２の瞳孔像Ｅｐの点Ｐｔ１に対応する部分のタッチパネル１４に接触されたとする。そして、指又はペンをタッチパネル１４に接触させた状態で、縦方向（矢印Ｑ１）に指又はペンを移動させると、図７示す処理画像ＳＰ２が図１１に示すように画面１３ａに拡大表示される。この図１１に示す処理画像ＳＰ２が表示されている拡大表示画面で瞳孔像Ｅｐ内の点Ｐｔ１に対応する部分のタッチパネル１４に指又はペンを接触させ、指又はペンをタッチパネル１４に接触させた状態で、縦方向（矢印Ｑ１と逆方向）に指又はペンを移動させると、画面１３ａは図７に示す縮小画像表示状態に戻る。
【００４２】
また、例えば、図１１に示す測定画像表示状態で、指又はペンをタッチパネル１４の点ｐｔ１’に接触させた状態で横方向（矢印Ｑ２）に指又はペンを移動させると、画面１３ａは測定画像表示状態から処理画像表示状態へ切り替えられ、例えば、画面１３ａには、図１２に示すように、処理画像ＳＰ４が拡大表示される。この図１２に示す処理画像表示状態で横方向（矢印Ｑ２と逆方向）に指又はペンを移動させると、画面１３ａは図１１に示す測定画像表示状態に戻る。また、その図１２に示す処理画像表示状態で縦方向（矢印Ｑ１と逆方向）に指又はペンを移動させると、画面１３ａは、この処理画像ＳＰ４と共に残余の画像ＳＰ５〜Ｓ８、ＳＰ１又はＳＰ３が表示された縮小画像表示状態に移行する（図１５参照）。
【００４３】
以上の操作について操作と画面との関係について整理すると、図７に示す画面において、画像を選択して指又はペンを上方向（Ｑ１方向）に操作すると、図７に示す縮小画像表示状態から選択された画像（図９又は図１１参照）を示す拡大画像表示状態に画面が移行する。選択された画像（図９又は図１１）を示す拡大画像表示状態で、指又はペンを下方向に操作すると、選択された画像（図９又は図１１参照）を示す拡大画像表示状態から図７に示す縮小画像表示状態に画面が移行する。
【００４４】
選択された画像（図９又は図１１参照）を示す拡大画像表示状態（測定画像表示状態）において、指又はペンを右方向（Ｑ２方向）に操作すると、選択された画像（図９又は図１１参照）を示す測定画像表示状態から選択された画像についての処理画像（図１０又は図１２参照）を示す処理画像表示状態に移行する。この選択された画像についての処理画像（図１０又は図１２参照）を示す処理画像表示状態において、指又はペンを左方向に操作すると、元の画像（図９又は図１１参照）を示す測定画像表示状態に戻る。また、この選択された画像についての処理画像（図１０又は図１２参照）を示す処理画像表示状態において、指又はペンを下方向に操作すると、この選択された画像についての処理画像（図１０又は図１２参照）を示す処理画像表示状態からこの選択された画像についての処理画像（図１５の符号ＳＰ３又はＳＰ４の画像を参照）を示す縮小処理画像表示状態となる。この選択された画像についての処理画像（図１５の符号ＳＰ３又はＳＰ４の画像を参照）を示す縮小処理画像表示状態において、画像を選択して指又はペンを左方向に操作すると、その選択された画像についての測定画像（図７のＳＰ１又はＳＰ２の画像参照）を示す縮小測定画像表示状態となる。また、図７に示す縮小測定画像表示状態において、画像を選択して指又はペンを右方向に操作すると、その選択された画像についての処理画像（図１５のＳＰ３又はＳＰ４の画像を参照）を示す縮小処理画像表示状態となる。なお、１つの測定画像に複数の処理画像がある場合には、同様に右方向の操作を繰り返し行うことにより、順番にその処理画像を表示する画面に移行する。
【００４５】
また、この実施例では、操作方向を逆方向にすることにより元の画像と切り替え後の画像との間での画像表示状態の切り替えを行うことにしたが、同一方向に操作することにより元の画像と切り替え後の画像との間での画像表示状態の切り替えを行う構成としても良い。
【００４６】
以上の実施例では、瞳孔相当像Ｅｐのいずれの位置に指又はペンの接触点Ｐｔ１（又はＰｔ１’）があっても所定の条件を満たせば表示状態が切り替えられることとして説明を行ったが、被検眼像ＳＰ１には被検眼Ｅに対する作動距離を合わせるための輝点像Ｐ１’と被検眼Ｅに対する装置本体３のアライメントを行う輝点像Ｐ２’とが瞳孔像Ｅｐの中心Ｏを通るようにして一列に配列されているので、横方向の接触方向をこれらの輝点像Ｐ１’、Ｐ２’の配列方向に対応させ、縦方向の接触方向を瞳孔像Ｅｐの中心Ｏを通りかつ配列方向と直交する方向に対応させ、接触点Ｐｔ１、Ｐｔ１’がこの配列方向を中心にして所定幅の領域を通る軌跡を描くときに、画像表示状態の切り替えを行う構成としても良い。
【００４７】
また、横方向の接触方向を点像列画像ＳＰ２の瞳孔相当像Ｓｐの中心Ｏを通る横方向の点像列に対応させ、縦方向の接触方向を点像列画像ＳＰ２の瞳孔像Ｓｐの中心Ｏを通る縦方向の点像列に対応させて、接触点Ｐｔ１、Ｐｔ１’がこの点像列に対して所定幅の点像列の領域を通る軌跡を描くときに画像表示状態の切り替えを行う構成としても良い。このような対応関係を持たせて、画像表示状態を切り替える構成とすると、画面に不用意に触ったとしても、表示状態の切り替えが阻止され、使い勝手がより一層良好である。
【符号の説明】
【００４８】
８  測定画像取得部
９  解析処理部
１０  処理画像構築部
１１  画像表示状態切り替え部
１３  表示部
１４  タッチパネル
Ｅ  被検眼
Ｐ１  測定光
Ｐ２  反射光
【図１】
2010187904.tif 000003
【図２】
2010187904.tif 000004
【図３】
2010187904.tif 000005
【図４】
2010187904.tif 000006
【図５】
2010187904.tif 000007
【図６】
2010187904.tif 000008
【図８】
2010187904.tif 000009
【図７】
2010187904.tif 000010
【図９】
2010187904.tif 000011
【図１０】
2010187904.tif 000012
【図１１】
2010187904.tif 000013
【図１２】
2010187904.tif 000014
【図１３】
2010187904.tif 000015
【図１４】
2010187904.tif 000016
【図１５】
2010187904.tif 000017